【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
光源から出射した照明光が試料に照射され、照射された試料から出力された観察光を光検出器で検出することにより、前記試料の三次元画像を取得する三次元画像取得手段と、
前記三次元画像取得手段によって取得した三次元画像に基づいて、前記試料の立体画像を表示する立体画像表示手段と、
前記立体画像表示手段によって表示された立体画像の展開図情報を作成する展開図情報作成手段と、
前記展開図作成手段によって作成された展開図情報に基づいて、展開図を出力する展開図出力手段と、
を備えることを特徴とする顕微鏡装置。
【請求項２】
前記三次元画像取得手段は、前記顕微鏡装置に備えられている対物レンズの焦点位置と前記試料の位置とを相対的に連続移動することを特徴とする請求項１に記載の顕微鏡装置。
【請求項３】
前記展開図情報作成手段は、
前記立体画像を包囲する直方体空間を算出する直方体空間算出手段と、
前記直方体空間を構成する六平面のそれぞれに対して、前記立体画像を二次元情報に変換する変換手段と、
を備えることを特徴とする請求項１または請求項２に記載の顕微鏡装置。
【請求項４】
前記展開図情報作成手段は、
前記直方体空間算出手段によって算出された直方体空間を複数の直方体空間に分割する直方体空間分割手段、
をさらに備え、
前記変換手段は、前記直方体空間分割手段によって分割された複数の直方体空間のそれぞれを構成する六平面のそれぞれに対して、前記立体画像のうち前記直方体空間分割手段によって分割されたそれぞれの直方体空間に含まれる立体画像の部分を二次元画像に変換する、
ことを特徴とする請求項３に記載の顕微鏡装置。
【請求項５】
前記展開図出力手段は、前記展開図を印刷することを特徴とする請求項１乃至４の何れか１項に記載の顕微鏡装置。
【請求項６】
光源から出射した照明光が試料に照射され、照射された試料から出力された観察光を光検出器で検出することにより、前記試料の三次元画像を取得する三次元画像取得手段と、前記三次元画像取得手段によって取得した三次元画像に基づいて、前記試料の立体画像を表示する立体画像表示手段とを備えた顕微鏡装置が実行する立体画像出力方法であって、
前記立体画像表示手段によって表示された立体画像の展開図情報を作成し、
前記作成された展開図情報に基づいて、展開図を出力する、
ことを特徴とする立体画像出力方法。
【請求項７】
前記三次元画像取得手段は、前記顕微鏡装置に備えられている対物レンズの焦点位置と前記試料の位置とを相対的に連続移動することを特徴とする請求項６に記載の立体画像出力方法。
【請求項８】
光源から出射した照明光が試料に照射され、照射された試料から出力された観察光を光検出器で検出することにより、前記試料の三次元画像を取得する三次元画像取得手段と、前記三次元画像取得手段によって取得した三次元画像に基づいて、前記試料の立体画像を表示する立体画像表示手段とを備えた顕微鏡装置に実行させるための立体画像出力プログラムであって、
前記立体画像表示手段によって表示された立体画像の展開図情報を作成する手順と、
前記作成された展開図情報に基づいて、展開図を出力する手順と、
を実行させるためのコンピュータ実行可能な立体画像出力プログラム。
【請求項９】
前記三次元画像取得手段は、前記顕微鏡装置に備えられている対物レンズの焦点位置と前記試料の位置とを相対的に連続移動することを特徴とする請求項８に記載の立体画像出力プログラム。
【手続補正２】
【補正対象書類名】明細書
【補正対象項目名】０００２
【補正方法】変更
【補正の内容】
【０００２】
従来、レーザ光源からの光を対物レンズで微小なスポットに絞り、このスポットで試料上を走査し、試料からの蛍光や反射光を光検出器で捕らえて電気信号に変換し、画像モニタ上に試料像を表示する共焦点レーザ走査型顕微鏡が知られている。
このような共焦点走査型顕微鏡は、レーザ光などの点光源とピンホールを組み合わせ、試料をピンポイントで照明することで、測定点以外からの散乱光を抑制し、また、光検出器の前面に空間フィルタとしてのコンフォーカルアパーチャを配置し、測定点と同一面内にある光をコンフォーカルアパーチャ周辺に結像させることにより、また、光軸方向にずれた面からの光は、コンフォーカルアパーチャを通過できずにカットされることにより、測定点以外からの反射光や透過光をカットして光電変換器により三次元空間中の一点だけを測定できるようにしている。
【手続補正３】
【補正対象書類名】明細書
【補正対象項目名】０００９
【補正方法】変更
【補正の内容】
【０００９】
また、記憶された画象メモリの光強度信号から構築された三次元立体像を二つ、またはそれ以上の立体像として切り出し、この切り出された立体像に対して、各々の展開図を生成し、さらに、生成された展開図を印刷する。
すなわち、本発明の一態様によれば、本発明の顕微鏡装置は、光源から出射した照明光が試料に照射され、照射された試料から出力された観察光を光検出器で検出することにより、上記試料の三次元画像を取得する三次元画像取得手段と、上記三次元画像取得手段によって取得した三次元画像に基づいて、上記試料の立体画像を表示する立体画像表示手段と、上記立体画像表示手段によって表示された立体画像の展開図情報を作成する展開図情報作成手段と、上記展開図作成手段によって作成された展開図情報に基づいて、展開図を出力する展開図出力手段とを備えることを特徴とする。
【手続補正４】
【補正対象書類名】明細書
【補正対象項目名】００１１
【補正方法】変更
【補正の内容】
【００１１】
また、本発明の顕微鏡装置は、上記展開図出力手段が、上記展開図を印刷することが望ましい。
また、本発明の一態様によれば、本発明の立体画像出力方法は、光源から出射した照明光が試料に照射され、照射された試料から出力された観察光を光検出器で検出することにより、上記試料の三次元画像を取得する三次元画像取得手段と、上記三次元画像取得手段によって取得した三次元画像に基づいて、上記試料の立体画像を表示する立体画像表示手段とを備えた顕微鏡装置が実行する立体画像出力方法であって、上記立体画像表示手段によって表示された立体画像の展開図情報を作成し、上記作成された展開図情報に基づいて、展開図を出力することを特徴とする。
【手続補正５】
【補正対象書類名】明細書
【補正対象項目名】００１２
【補正方法】変更
【補正の内容】
【００１２】
また、本発明の一態様によれば、本発明の立体画像出力プログラムは、光源から出射した照明光が試料に照射され、照射された試料から出力された観察光を光検出器で検出することにより、上記試料の三次元画像を取得する三次元画像取得手段と、上記三次元画像取得手段によって取得した三次元画像に基づいて、上記試料の立体画像を表示する立体画像表示手段とを備えた顕微鏡装置に実行させるための立体画像出力プログラムであって、上記立体画像表示手段によって表示された立体画像の展開図情報を作成する手順と、上記作成された展開図情報に基づいて、展開図を出力する手順とを実行させるためのコンピュータ実行可能な立体画像出力プログラムである。
【手続補正６】
【補正対象書類名】明細書
【補正対象項目名】００１７
【補正方法】変更
【補正の内容】
【００１７】
このレンズ１０９の集光位置にはコンフォーカルアパーチャ１１０を配置し、共焦点光学系を形成している。このコンフォーカルアパーチャ１１０を通過した光を、さらにバリアフィルタ１１１により波長を限定し、観察者が期待する波長の光を、フォトマルチプライヤなどの光電変換器１０１に入力し、アナログ信号化し、コンピュータ２０に設置されているＡ／Ｄ入力ＣＨ２２により、光量に応じたデジタル信号に変換され、メモリ２３に記憶し、画像情報として画像モニタ５０に出力するようにしている。
【手続補正７】
【補正対象書類名】明細書
【補正対象項目名】００２０
【補正方法】変更
【補正の内容】
【００２０】
すなわち、このような共焦点レーザ走査型顕微鏡システム１において、まず、レーザ装置４０の光源から出射した照明光が観察試料１０８に照射され、照射された観察試料１０８から出力された観察光を光検出器（光電変換器１０１）で検出する。そして、検出した観察光により上記観察試料１０８の三次元画像を取得する処理が行われ、取得した三次元画像に基づいて、上記観察試料１０８の立体画像を画像モニタ５０に表示する。
【手続補正８】
【補正対象書類名】明細書
【補正対象項目名】００４５
【補正方法】変更
【補正の内容】
【００４５】
１        共焦点レーザ走査型顕微鏡システム
１０      共焦点レーザ走査型顕微鏡
２０      コンピュータ
２１      計算・処理部
２２      Ａ／Ｄ入力チャネル（ＣＨ）
２３      メモリ
２４      制御プログラム
３０      操作パネル
４０      レーザ装置
５０      画像モニタ
１０１    光電変換器
１０２    励起用ダイクロイックミラー
１０３    ミラー
１０４    走査ユニット
１０５    レボルバ
１０６    対物レンズ
１０７    ステージ
１０８    観察試料
１０９    レンズ
１１０    コンフォーカルアパーチャ
１１１    バリアフィルタ
２００    立体画像
２０１    Ｘ−Ｐ１面
２０２    Ｘ−Ｐ２面
２０３    Ｙ−Ｐ１面
２０４    Ｙ−Ｐ２面
２０５    Ｚ−Ｐ１面
２０６    Ｚ−Ｐ２面
２１０    直方体空間
２２０    展開図
３００    立体画像
３１０    直方体空間
３１１    第１の部分空間
３１２    第２の部分空間
３２１    第１の部分展開図
３２２    第２の部分展開図